(57)【要約】【課題】利用者がファイルを保存するための格納場所をファイルの保存時に設定することなく、自動でファイルを分類し保存できるようにする。【解決手段】アプリケーションプログラム７０１によるファイル編集の開始、文書の作成及び編集の終了等の入力装置３を用いた編集処理を検出してアプリケーションプログラム７０１の編集処理の時間を編集処理管理メモリ４０１に記録し、編集の開始から終了までの実行時間のうち休止時間を除いた実質の実行時間を編集処理管理メモリ４０１と編集時間管理メモリ４０２とを用いて算出した後、予め新規ファイルの格納場所と自動設定の場合のファイル名及び連番が実行時間に対応して設定された格納場所テーブル７０２とファイル格納管理メモリ４０３とを用いて新規保存ファイルであるファイル７０３の格納場所とファイル名を決定し、ファイル７０３を保存する。【選択図】      図１
2004326207.tif 000002
【特許請求の範囲】
【請求項１】
ファイルの格納場所をファイルの編集処理の実行時間により分類して定義した格納場所テーブルを記憶する格納場所テーブル記憶手段と、
新規ファイルの編集処理の実行状態を検出する編集処理検出手段と、
この編集処理検出手段により検出された編集処理の実行時間を算出する実行時間算出手段と、
この実行時間算出手段で算出された実行時間と前記格納場所テーブル記憶手段に記憶された前記格納場所テーブルの実行時間とを照合して該当する格納場所を設定する格納場所設定手段と、
この格納場所設定手段により設定された格納場所に前記新規ファイルを保存するファイル保存手段と、
を備えることを特徴とする情報処理装置。
【請求項２】
前記実行時間算出手段は、前記編集処理の開始から終了までの実行時間のうち休止時間を除いた実質の実行時間を算出する実質時間算出手段を備えていることを特徴とする請求項１記載の情報処理装置。
【請求項３】
前記前記格納場所テーブル記憶手段に記憶された前記格納場所テーブルは、ファイル名を自動的に生成するためのファイル名設定データを備えることを特徴とする請求項１記載の情報処理装置。
【請求項４】
新規ファイルの編集処理の実行状態を検出する編集処理検出ステップと、この編集処理検出ステップにより検出された編集処理の実行時間を算出する実行時間算出ステップと、この実行時間算出ステップで算出された実行時間を新規ファイルの格納場所を実行時間により予め分類し定義した格納場所テーブルと照合させて該当する格納場所を設定する格納場所設定ステップと、この設定された格納場所に前記新規ファイルを保存するファイル保存ステップと、を備えることを特徴とする情報処理方法。
【請求項５】
コンピュータに、新規ファイルの編集処理の実行状態を検出させる処理と、この処理により検出された編集処理の実行時間を算出させる処理と、この処理によって算出された実行時間に基づき前記新規ファイルの格納場所を設定させる処理と、この設定された格納場所に前記新規ファイルを保存させる処理と、を行わせることを特徴とするプログラム。
【発明の詳細な説明】
【０００１】
【発明が属する技術分野】
本発明は、新規に編集処理したファイルを保存する機能を備えた情報処理装置、情報処理方法及びプログラムに関する。
【０００２】
【従来の技術】
従来、コンピュータ上では文書ファイルを複数の階層毎に分類した木（ツリー）形式で保存しており、文書ファイルを自動的に分類して保存するために様々な工夫がなされている。例えば、文書ファイルのキーワードに着目し、キーワードと文書ファイルとの対応テーブルを用いてキーワードをフォルダ名として生成し格納場所として管理することも提案されている（例えば、特許文献１を参照。）。また、文書ファイルの内容から特徴を分析して類似度の計算を行い、利用者が格納場所として設定したフォルダのうち最も類似度の高いフォルダに登録することも提案されている（例えば、特許文献２を参照。）。
【０００３】
【特許文献１】
特開２００２−２５９４５０号公報
【特許文献２】
特開平１１−１５８４８号公報
【０００４】
【発明が解決しようとする課題】
しかしながら、前者のようにキーワードをフォルダ名として生成するためにはキーワードと文書ファイルとの対応テーブルを予め作成しておく作業が必要であるし、キーワードは変化する可能性があるのでキーワードと文書ファイルとの対応テーブルを変更する作業も必要となってくる。また、後者のように利用者が設定したフォルダのうち最も類似度の高いフォルダに登録するためには、利用者が文書ファイルの保存時に分類のためのフォルダを予め設定しておく必要があり、フォルダの設定後においても複雑な類似度を求める計算を実行しないと登録すべきフォルダが決定できないので、使い勝手が良いとはいえないという問題があった。
【０００５】
本発明は上記実情に鑑みてなされたもので、ファイルの保存時に利用者がファイルを保存するための格納場所を設定することなく、自動で分類し保存できる情報処理装置、情報処理方法及びプログラムを提供することを目的とする。
【０００６】
【課題を解決するための手段】
上記目的を達成するために、本発明の情報処理装置は、ファイルの格納場所をファイルの編集処理の実行時間により分類して定義した格納場所テーブルを記憶する格納場所テーブル記憶手段と、新規ファイルの編集処理の実行状態を検出する編集処理検出手段と、この編集処理検出手段により検出された編集処理の実行時間を算出する実行時間算出手段と、この実行時間算出手段で算出された実行時間と前記格納場所テーブル記憶手段に記憶された前記格納場所テーブルの実行時間とを照合して該当する格納場所を設定する格納場所設定手段と、この格納場所設定手段により設定された格納場所に前記新規ファイルを保存するファイル保存手段と、を備えることを特徴とする。
【０００７】
このような構成によれば、新規ファイルの編集処理の実行時間のうち休止時間を除いた実質の実行時間を算出し、算出した実質の実行時間を元に予め実行時間により分類し定義した格納場所テーブルを参照して対応する格納場所を自動的に設定できるので、新規ファイルの保存時に格納場所を指定しなくても済むという効果が得られる。
【０００８】
また、本発明では前記実行時間算出手段は、前記編集処理の開始から終了までの実行時間のうち休止時間を除いた実質の実行時間を算出する実質時間算出手段を備えていることを特徴とする。
こうすることにより、設定された休止時間より短い時間に編集処理が行われると休止時間とはならないので、編集処理の途中で作業を中断したような場合を休止時間とすることができる。また、予め設定された休止時間を編集処理の状況に合わせて変更することにより算出する休止時間を最適化でき、その結果として実質の実行時間の最適化ができる。
【０００９】
更に、本発明では前記前記格納場所テーブル記憶手段に記憶された前記格納場所テーブルは、ファイル名を自動的に生成するためのファイル名設定データを備えることを特徴とする。
こうすることにより、新規ファイルの保存時に格納場所の自動設定だけでなくファイル名の自動設定をすることができる。
【００１０】
上記目的を達成するために、本発明の情報処理装置は、新規ファイルの編集処理の実行状態を検出する編集処理検出ステップと、この編集処理検出ステップにより検出された編集処理の実行時間を算出する実行時間算出ステップと、この実行時間算出ステップで算出された実行時間を新規ファイルの格納場所を実行時間により予め分類し定義した格納場所テーブルと照合させて該当する格納場所を設定する格納場所設定ステップと、この設定された格納場所に前記新規ファイルを保存するファイル保存ステップと、を備えることを特徴とする。
【００１１】
上記目的を達成するために、本発明のプログラムはコンピュータに、新規ファイルの編集処理の実行状態を検出させる処理と、この処理により検出された編集処理の実行時間を算出させる処理と、この処理によって算出された実行時間に基づき前記新規ファイルの格納場所を設定させる処理と、この設定された格納場所に前記新規ファイルを保存させる処理と、を行わせるためのプログラムであることを特徴とする。
【００１２】
【発明の実施の形態】
以下、本発明の実施の形態を図面を参照しながら説明する。図１は、本発明の実施の形態に係わる情報処理装置、例えばパーソナルコンピュータの回路構成図である。コンピュータ１は、ＣＰＵ２、入力装置３、ＲＡＭ４、表示装置５、記憶装置６、記憶媒体７及び通信装置８により構成されており、記憶媒体７を除く各部はバス９に接続されている。
【００１３】
ＣＰＵ（Ｃｅｎｔｒａｌ  Ｐｒｏｃｅｓｓｉｎｇ  Ｕｎｉｔ）２は、記憶装置６に記憶されているシステムプログラム及び各種アプリケーションプログラム７０１の中から指定されたアプリケーションプログラム７０１をＲＡＭ４内の図示しないプログラム格納領域に格納し、入力装置３から入力される各種指示あるいはデータをＲＡＭ４内に格納し、この入力指示及び入力データに応じてＲＡＭ４内に格納したアプリケーションプログラム７０１に従って各種処理を実行し、その処理結果データをＲＡＭ４内に格納するとともに、表示装置５に表示する。また、ＲＡＭ４に格納した処理結果データを、電源オフとなっても消去されない様に記憶装置６内に保存する。
【００１４】
入力装置３は、キーボード及びマウス等のポインティングデバイスを含み、キーボードにおいて押下されたキーの押下信号やマウスの位置信号をＣＰＵ２に出力する。ＲＡＭ（Ｒａｎｄｏｍ  Ａｃｃｅｓｓ  Ｍｅｍｏｒｙ）４は、記憶装置６から転送されＣＰＵ２により処理されるプログラムや後述する各種データを一時的に格納するメモリエリアが設けられており、また、詳細を後述する編集処理を管理するために用いる編集処理管理メモリ４０１、編集時間を管理するために用いる編集時間管理メモリ４０２及び新規保存ファイルの格納場所とファイル名を設定するために用いるファイル格納管理メモリ４０３が設けられている。表示装置５は、液晶表示パネル等により構成され、ＲＡＭ４に記憶されたデータをメニュー画面や処理結果の画面として表示する。
【００１５】
記憶装置６は、記憶媒体７を有しており、この記憶媒体７は磁気的、光学的記録媒体、若しくは不揮発性の半導体メモリで構成されている。この記憶媒体７は記憶装置６に固定的に設けたもの、若しくは着脱自在に装着するものであり、この記憶媒体７には上記システムプログラムや後述する通信プロトコルを実行させるための通信処理プログラム及び各アプリケーションプログラム７０１で処理されたデータ等を記憶する記憶エリアが設けられている。また、記憶媒体７には上記アプリケーションプログラム７０１を記憶するアプリケーションメモリ詳細は後述するが格納場所テーブル７０２を記憶する格納場所テーブルメモリ及び保存すべきファイル７０３を記憶するファイルメモリが設けられている。通信装置８は、通信回線等を介して他の機器からデータを受信したり、他の機器へデータを送信したりする通信処理等をＣＰＵ２の制御により通信プロトコルを実行することにより行う。
【００１６】
ＲＡＭ４の編集処理管理メモリ４０１は、図２の（ａ）に示すように図示しない時計回路で計時される現在の日付時刻が記憶される現時刻メモリ２１が設けられており、また詳細は後述するが前回の入力時刻を示す前入力時刻メモリ２２、新規の入力時刻を示す新入力時刻メモリ２３、新規の入力時刻と前回の入力時刻との差を示す新前差時間メモリ２４、休止状態か否かの判定基準とする休止判定値メモリ２５及び休止時間を累計しておく休止時間累計メモリ２６から構成されている。編集時間管理メモリ４０２は、図２の（ｂ）に示すようにファイル作成（以下、ファイル作成中の処理を編集と称呼する。）の開始時刻を示す開始時刻メモリ２７、編集の終了時刻を示す終了時刻メモリ２８、編集の開始から終了までの実行時間を示す実行時間メモリ２９および実行時間から休止時間を減算した実質の編集実行時間を示す実質実行時間メモリ３０から構成されている。ファイル格納管理メモリ４０３は、図２の（ｃ）に示すように格納場所（フォルダ）を示す設定格納場所メモリ３１、編集したファイルのファイル名を示す設定ファイル名メモリ３２、手動で指定したファイル名を示す指定ファイル名メモリ３３、格納場所テーブル７０２の行アドレスを示すテーブルアドレスメモリ３４及び新しい連番を示す新連番メモリ３５から構成されている。
【００１７】
また、記憶媒体７の格納場所テーブル７０２は、図３に示す様に実質の実行時間と照合するための実行時間が設定された実行時間メモリ４１、新規保存ファイルの格納場所が予め設定された格納場所メモリ４２、新規保存ファイルのファイル名の上位名が予め設定されたファイル名上位メモリ４３および最新の連番を管理するための連番メモリ４４から構成されている。
【００１８】
上記の構成において、図４に示すような時間間隔で新規ファイルの編集操作が行われた場合におけるファイルの自動保存動作の詳細について、アプリケーションプログラム７０１によって処理される図５のフローチャートを参照して説明する。尚、図５のフローチャートは、入力装置３からのキー入力によってファイル編集の開始、文書の作成及び編集の終了等が図示しない別の処理によって行われた後、入力装置３から入力されたキー操作がファイル編集の開始操作、文書の改行操作及び編集終了操作のいずれかの操作であった場合のみ動作するものであり、例えば、文書作成時における文字入力やかな漢字変換キー等の操作では、この図５のフローチャートは動作しないものである。然して、図４の編集の例は時刻Ｔ１から時刻Ｔ２まで１０分間編集、即ち、文書ファイルの作成を行い、時刻Ｔ２から時刻Ｔ３まで２０分間編集を休止し、時刻Ｔ３から時刻Ｔ４まで５分間編集、時刻Ｔ４から時刻Ｔ５まで１５分間休止、時刻Ｔ５から時刻Ｔ６まで１０分間編集したもので編集の開始時刻Ｔ１から編集の終了時刻Ｔ６まで合計６０分間の間に２５分間の編集が行われた場合の例である。
【００１９】
図５に示すように編集開始から編集終了までの処理は３つに大別される。まず、ファイルの編集中においては実行時間算出処理ステップＳ（以降、Ｓと記す。）１により入力装置３からの入力操作を判別して開始時刻からの実行時間と編集の実質の実行時間を算出する処理を行う。編集処理が終了すると、格納場所設定処理Ｓ２により新規保存ファイルの格納場所を格納場所テーブル７０２を参照して決定する。続けて、ファイル名設定処理Ｓ３により新規保存ファイルのファイル名を決定し、格納場所設定処理Ｓ２により決定された格納場所に保存する。
【００２０】
上記実行時間算出処理Ｓ１の詳細を図６のフローチャートを参照して説明する。まず、入力装置３からの入力操作を検出し（Ｓ１１）、入力操作が編集の開始操作か編集の終了操作か又は改行操作かの種類を判別する（Ｓ１２）。例えば、文書ファイルを作成する場合であれば、この文書ファイルのアプリケーションプログラム７０１を立ち上げる特定の操作を行い、文書入力が可能な状態に設定された時を編集の開始とし、作成した文書ファイルを閉じる操作を行った時を編集の終了と判断する。Ｓ１２の入力操作の判別で入力操作が編集の開始操作ならば、次のＳ１３で休止判定値メモリ２５に予め定められた値、例えば「５分」を設定する。また、現時刻メモリ２１に格納されている現在の時刻を開始時刻メモリ２７及び前入力時刻メモリ２２に格納する（Ｓ１４、Ｓ１５）と共に、休止時間累計メモリ２６の値を「０」に初期化する（Ｓ１６）。Ｓ１２において入力操作の判別結果が編集の開始操作でない場合はＳ１７に進み編集の終了操作か否かを判別し、編集の終了操作でない場合、即ち、改行操作の場合は、編集中の操作として判別しＳ１８乃至Ｓ２２の実行時間を算出するための値を設定する処理を行う。
【００２１】
即ちＳ１８では現時刻メモリ２１の値を新入力時刻メモリ２３に格納し、新入力時刻メモリ２３の値から前入力時刻メモリ２２の値を減算してその結果を新前差時間メモリ２４に格納する（Ｓ１９）。次のＳ２０では新前差時間メモリ２４の値と休止判定値メモリ２５の値「５分」とを比較して、前入力時刻から新入力時刻迄の間が編集中であったか、休止中であったかを判断する。即ち、新前差時間メモリ２４の値が休止判定値メモリ２５の値「５分」に等しいか大きい場合は編集が開始されてから改行操作がなされる迄に５分以上経過しているということであり、編集開始操作がなされたにもかかわらず、改行を行う様な文書入力を行わなかった場合であるとして休止時間と判定し、新前差時間メモリ２４の値を休止時間累計メモリ２６の値に加算する（Ｓ２１）。Ｓ２０において新前差時間メモリ２４の値が休止判定値メモリ２５の値「５分」より小さい場合は、改行を伴う様な編集が行われたので新入力時刻メモリ２３の値を前入力時刻メモリ２２に格納して（Ｓ２２）、Ｓ１１に戻る。編集作業中においては、改行操作が行われる毎にＳ１７からＳ１８に進み、さらにＳ１９、Ｓ２０で前回の改行操作から今回の改行操作迄の時間が「５分」以上か否かが判断され、５分未満の場合は編集作業中、５分以上の場合は休止と判断され、休止の場合は休止時間累計メモリ２６に前回の改行操作から今回の改行操作迄の時間が累積されてゆく。
【００２２】
Ｓ１７において入力操作の確認結果が編集の終了操作である場合は、現時刻メモリ２１の値を終了時刻メモリ２８に格納し（Ｓ２３）、終了時刻メモリ２８の値から開始時刻メモリ２７の値を減算した結果として算出される実行時間の値を実行時間メモリ２９に格納する（Ｓ２４）。次に、実行時間メモリ２９の値から休止時間累計メモリ２６の値を減算した結果として算出される実質実行時間の値を実質実行時間メモリ３０に格納し（Ｓ２５）、実行時間算出処理Ｓ１を終了して図５の格納場所設定処理Ｓ２に進む。
【００２３】
図４に示すような編集操作が行われた場合には、実行時間算出処理Ｓ１を実行した結果、図２に示す各メモリの値は以下のようになる。休止判定値メモリ２５の値は予め「５分」が設定されているとすると、休止時間累計メモリ２６の値は２０分と１５分が加算されて「３５分」、実行時間メモリ２９の値は「６０分」、実質実行時間メモリ３０の値は６０分から３５分を減算して「２５分」となる。
【００２４】
格納場所設定処理Ｓ２の詳細を図７のフローチャートを参照して説明するが、その前に格納場所テーブル７０２について、更に詳しく説明する。実行時間メモリ４１の実行時間１５分、３０分、６０分及び６０分超のメモリ夫々に対応させて、格納場所メモリ４２には、例えばファイル１２を構成するハードディスクを示す「Ｃ」ドライブ装置のドライブ名「Ｃ」及び上位フォルダ名「￥Ｄｏｃｕｍｅｎｔ￥短時間」、「￥Ｄｏｃｕｍｅｎｔ￥平均時間」、「￥Ｄｏｃｕｍｅｎｔ￥長時間」及び「￥Ｄｏｃｕｍｅｎｔ￥極長時間」が予め記憶されている。また、ファイル名上位メモリ４３にはファイル名の上位名である「Ｓｈｏｒｔ」、「Ａｖｅｒａｇｅ」、「Ｌｏｎｇ」及び「ＶｅｒｙＬｏｎｇ」が予め記憶されている。連番メモリ４４にはファイル名上位に続く下位の連番がファイルを作成する毎に更新されて記憶されるものである。然して、図７のフローチャートにおいては、実質実行時間メモリ３０の値と格納場所テーブル７０２の各行の実行時間メモリ４１の値を先頭から順に照合するために、まず、図３に示す格納場所テーブル７０２の先頭アドレスをテーブルアドレスメモリ３４に格納する（Ｓ３１）。Ｓ３２で実質実行時間メモリ３０の値と格納場所テーブル７０２のテーブルアドレスメモリ３４が指している行の実行時間メモリ４１の値とを比較する。比較の結果、実質実行時間メモリ３０の値が実行時間メモリ４１の値よりも大きい場合は、次の行のアドレスをテーブルアドレスメモリ３４に格納して（Ｓ３４）、Ｓ３２に戻る。Ｓ３２において実質実行時間メモリ３０の値が実行時間メモリ４１の値よりも等しいか小さい場合は、テーブルアドレスメモリ３４が指している行の格納場所メモリ４２の値を設定格納場所メモリ３１に格納し（Ｓ３３）、格納場所設定処理Ｓ２を終了して図５のファイル名設定処理Ｓ３に進む。
【００２５】
図４に示すような編集操作が行われた場合には、格納場所設定処理Ｓ２を実行した結果、図２に示す各メモリの値は以下のようになる。実質実行時間メモリ３０の値は「２５分」、設定格納場所メモリ３１の値は「Ｃ：￥Ｄｏｃｕｍｅｎｔ￥平均時間」と夫々なる。即ち、格納場所は「Ｃ」ドライブ装置の「Ｄｏｃｕｍｅｎｔ」フォルダの下位フォルダの「平均時間」フォルダとなる。
【００２６】
ファイル名設定処理Ｓ３の詳細を図８のフローチャートを参照して説明する。新規保存ファイルのファイル名は、入力操作によりファイル名を指定された場合には指定されたファイル名を用い、ファイル名を指定されない場合には予め格納場所テーブル７０２に設定されているファイル名上位メモリ４３の値と連番メモリ４４の値を用いて自動的に設定する。まず、以下のＳ４１乃至Ｓ４４の処理により自動設定したファイル名を表示する。Ｓ４１では格納場所テーブル７０２のテーブルアドレスメモリ３４が指している行のファイル名上位メモリ４３の値を設定ファイル名メモリ３２に格納する。次に、同じ行の連番メモリ４４の値に「１」を加算して新連番メモリ３５に格納し（Ｓ４２）、新連番メモリ３５の値を設定ファイル名メモリ３２の値の下位に結合した後（Ｓ４３）、ファイル名上位と連番とが結合された設定ファイル名メモリ３２の値を表示する（Ｓ４４）。
【００２７】
Ｓ４４で表示されたファイル名に対する入力操作が行われると（Ｓ４５）、ファイル名が指定されたか否かを確認する（Ｓ４６）。Ｓ４７でファイル名の指定の有無を判別しファイル名の指定が無い場合は、新連番メモリ３５の値をテーブルアドレスメモリ３４が指している行の連番メモリ４４に格納することにより連番を更新する（Ｓ４８）。Ｓ４７においてファイル名の指定がある場合は、指定ファイル名メモリ３３に指定されたファイル名が格納されているので指定ファイル名メモリ３３の値を設定ファイル名メモリ３２に格納する（Ｓ４９）。Ｓ５０ではファイル名として設定ファイル名メモリ３２の値を用いて、格納場所メモリ４２の値で示される格納場所にファイル７０３を保存し、ファイル名設定処理Ｓ３を終了して再び図５の実行時間算出処理Ｓ１に戻る。
【００２８】
図４に示すような編集操作が行われて且つファイル名の指定が無い場合には、ファイル名設定処理Ｓ３を実行した結果、設定ファイル名メモリ３２の値は「Ａｖｅｒａｇｅ００２９」となる。
【００２９】
このように、上記の実施の形態ではアプリケーションプログラムの実質の実行時間に対応した新規保存ファイルの格納場所を予め分類して格納場所テーブルに設定しておき、新規保存ファイルの保存時に自動的に格納場所を決定するので、新規保存ファイルの保存時に格納場所を指示する必要が無くなり操作性が向上する。また、保存されたファイルを閲覧する時には、格納場所が実質の実行時間によって短時間（１５分以内）、平均時間（１５分を超えて３０分以内）、長時間（３０分を超えて６０分以内）、極長時間（６０分を超える）というように夫々分類されているので、長時間かけて作成されたファイルを重点的に閲覧するといった利用により閲覧作業が効率化できる。例えば、本発明を毎日の営業報告書に応用すると、営業担当者の作成した営業報告書を営業管理者が見る場合に、営業担当者が多くの時間を割いて作成した重要な報告内容が含まれていると思われる営業報告書を重点的に見ることにより、営業報告書の内容を評価する営業管理者の業務が効率化出来る。他にも、個人の日記に応用すれば、多くの思いを多くの時間をかけて表現した日の日記を後日になって読み返したい場合等に、短時間で求めている日記を見つけることが出来るという効果がある。
【００３０】
尚、上記の実施の形態では、自動設定するファイル名として上位ファイル名と連番とを結合したものを使用しているが、さらに情報処理装置が備えているシステム日付を付加し、上位ファイル名とシステム日付と連番とを結合したものをファイル名とするようにしてもよい。
【００３１】
また、上記の実施の形態では、休止判定値メモリ２５の値は予め設定されているが、休止判定値メモリ２５の値を利用者が変更できるようにしてもよい。
【００３２】
更に、上記の実施の形態では、格納場所テーブル７０２の実行時間メモリ４１と格納場所メモリ４２の値は予め設定されているが、実行時間メモリ４１と格納場所メモリ４２の値を利用者が変更できるようにしてもよい。
【００３３】
更にまた、上記の実施の形態では、格納場所テーブル７０２のファイル名上位メモリ４３の値と連番メモリ４４の値は予め設定されているが、ファイル名上位メモリ４３の値と連番メモリ４４の値を利用者が変更できるようにしてもよい。
【００３４】
【発明の効果】
このように、本発明ではファイル編集の実行時間に対応した新規ファイルの格納場所を予め分類して格納場所テーブルに設定しておき、新規ファイルの保存時には、格納場所テーブルに基づいて自動的に格納場所を決定するので、新規ファイルの保存時にキー入力等によって格納場所を指示する必要が無くなり操作性が向上する。
【図面の簡単な説明】
【図１】本発明の実施の形態に係わるコンピュータの回路構成図である。
【図２】（ａ）は編集処理管理メモリ４０１の内容、（ｂ）は編集時間管理メモリ４０２の内容、（ｃ）はファイル格納管理メモリ４０３の内容を示す図である。
【図３】格納場所テーブル７０２の内容を示す図である。
【図４】編集の操作の事例を示すタイムチャートである。
【図５】新規保存ファイルの格納処理の動作を説明するためのフローチャートである。
【図６】図５の実行時間算出処理の動作を説明するためのフローチャートである。
【図７】図５の格納場所設定処理の動作を説明するためのフローチャートである。
【図８】図５のファイル名設定処理の動作を説明するためのフローチャートである。
【符号の説明】
１  コンピュータ
２  ＣＰＵ
３  入力装置
４  ＲＡＭ
５  表示装置
６  記憶装置
７  記憶媒体
８  通信装置
９  バス
４０１  編集処理管理メモリ
４０２  編集時間管理メモリ
４０３  ファイル格納管理メモリ
７０１  アプリケーションプログラム
７０２  格納場所テーブル
７０３  ファイル
【図１】
2004326207.tif 000003
【図２】
2004326207.tif 000004
【図３】
2004326207.tif 000005
【図４】
2004326207.tif 000006
【図５】
2004326207.tif 000007
【図６】
2004326207.tif 000008
【図７】
2004326207.tif 000009
【図８】
2004326207.tif 000010